(57)【要約】  ペット用の伸長性引き綱は、ハンドル（１、１０２）を設けたシェル（１、１０１）と、シェル（１、１０１）に収容され、ケーブル（６、２２）を設けたケーブル巻取りロール（３、１０３）であって、ケーブル（６、２２）が、前記ロール（３、１０３）と一体化される端部とシェル（１、１０１）の外側の自由端とを有し、動物が着用可能な首輪、ベスト、またはその他のアイテムに引っ掛けられるようにシェル（１、１０１）の開口（１０４）を摺動するロールとを備える。ロール（３、１０３）は、 シェル（１、１０１）への螺旋ばね（５、１０５）の作用の結果として回転軸を中心に回転可能である。係止／非係止ロール手段には、手の掌によって操作して、ロール（３、１０３）を自由に回転する非係止位置からロール（３、１０３）の係止位置へ移動させるように、ハンドル（１、１０２）に配置される第１のレバー（２、１０６）によって操作される制御機構を備える。第１のレバー（２、１０６）は双安定係止装置（１１、１０７）と関連付けられ、双安定係止装置は、２つの位置で係止される第１のレバーを保持し、第１のレバー（２、１０６）に追加の圧力を加えた後、係止位置から非係止位置へおよびその逆へ移動させるように構成される。
2019520087.tif 000002
【特許請求の範囲】
【請求項１】
ペット用の伸長性引き綱であって、
ハンドル（１、１０２）を設けたシェル（１、１０１）と、
前記シェル（１、１０１）に収容され、ケーブル（６、２２）を設けたケーブル巻取りロール（３、１０３）であって、ケーブル（６、２２）が、前記ロール（３、１０３）と一体化される端部と前記シェル（１、１０１）の外側の自由端とを有し、動物が着用可能な首輪、ベスト、またはその他のアイテムに引っ掛けられるように前記シェル（１、１０１）の開口（１０４）を摺動し、前記シェル（１、１０１）への螺旋ばね（５、１０５）作用の結果として回転軸を中心に回転可能であるロール（３、１０３）と、
手の掌によって操作して、前記ロール（３、１０３）が自由に回転する非係止位置から前記ロール（３、１０３）の係止位置へ移動させるように、前記ハンドル（１、１０２）に配置される第１のレバー（２、１０６）によって操作される制御機構を備えた前記ロールの係止／非係止手段と、
を備え、
前記第１のレバー（２、１０６）が双安定係止装置（１１、１０７）と関連付けられ、前記双安定係止装置が、２つの位置で係止される前記第１のレバーを保持し、前記第１のレバー（２、１０６）に追加の圧力を加えた後、係止位置から非係止位置へおよびその逆へ移動させるように構成されることを特徴とする、引き綱。
【請求項２】
前記第１のレバー（２、１０６）は、前記ハンドルで旋回してピン（４、１１３）を中心に回転する第１の端部と、前記双安定装置（１１、１０７）と相互作用するように構成される第２の端部（９、１１６）とを有する、請求項２に記載の引き綱。
【請求項３】
前記レバー機構（１１４）によって促進される回転の結果、前記第１のレバー（２、１０６）が非係止位置から係止位置へ通過して前記ロール（３、１０３）の回転を係止するため、前記第１のレバー（２、１０６）の前記旋回端が、前記ケーブル巻取りロール（３、１０３）と係合するように構成されるフック（１１５）を設けたレバー機構に接続されることを特徴とする、請求項２に記載の引き綱。
【請求項４】
前記双安定装置（１０７）がスナップ機構を備え、該スナップ機構が固定ガイドシリンダ（１０９）内で摺動可能なスライダ（１０８）を設け、所定の最小ストローク後、前記スライダ（１０７）の直線摺動運動を回転運動に変換するように構成されたカム手段（１１８）を設けた停止ピン（１１０）と係合することを特徴とする、請求項１〜３のいずれか１項に記載の引き綱。
【請求項５】
前記停止ピン（１１０）に、前記スライダ（１０７）の前記非係止位置に向か復帰運動を促進する予荷重ばね（１１１）が設けられることを特徴とする、請求項４に記載の引き綱。
【請求項６】
前記シェル（１、１０１）の開口に収容される前記コード（６、１２０）の仮係止装置（８、１２０）を設けることを特徴とする、請求項１〜５のいずれか１項に記載の引き綱。
【請求項７】
前記仮係止装置（８、１２０）が係止素子（１２１）を備え、前記係止素子が、前記ハンドル（１、１０２）を回転させるだけで、前記ケーブル（６、１２０）が自由に摺動する第１の位置から、前記係止素子（１２１）が前記ケーブル（６、１２０）を保持して摺動を阻止する第２の位置まで移動できることを特徴とする、請求項６に記載の引き綱。
【請求項８】
前記係止素子（１２１）が前記開口（１０４）に配置され前記ケーブル（６、１２０）用の摺動面（１２４）を有するガイド本体（１２３）と、前記ガイド本体（１２３）上で旋回し前記ケーブル（６、１２０）の通過用空隙を有する第２のレバー（１２５）とを備え、前記第２のレバー（１２５）が、前記摺動面（１２４）に対して上昇した前記第１の位置から、前記第２のレバー（１２５）が前記摺動面（１２４）上で前記ケーブル（６、１２０）を係止する前記第２の位置まで支点軸（１２９）を中心に自由に回転することを特徴とする、請求項７に記載の引き綱。
【請求項９】
前記第２のレバー（１２５）が、前記上昇第１の位置に向けて回収力を加えるように構成された弾性予荷重素子（１２８）と関連付けられる第１の部分を備えることを特徴とする、請求項８に記載の引き綱。
【請求項１０】
前記渦巻ばね（５、１０５）が、前記ケーブル巻取りロール（３、１０３）内の同心位置に収容されることを特徴とする、請求項１〜９のいずれか１項に記載の引き綱。
【請求項１１】
前記渦巻ばね（５、１０５）が、ばねホルダロール（７）内の前記ケーブル巻取りロール（３）の外側に収容されることを特徴とする、請求項１〜９のいずれか１項に記載の引き綱。
【請求項１２】
前記ケーブル巻取りロール（３）と前記ばねホルダロール（７）の運動および力が運動機構を通じて転送されることを特徴とする、請求項１０または１１に記載の引き綱。
【請求項１３】
前記運動機構がはめ歯歯車装置（１３、１４）を備え、はめ歯歯車の一方が前記ケーブル巻取りロール（３）に位置し、他方が前記ばねホルダロール（７）に位置することを特徴とする、請求項１２に記載の引き綱。
【請求項１４】
前記シェル（１）が、前記回転自在ケーブル巻取りロール（３）を収容する前記ハンドルを画定するドーナツ型の管状閉鎖形状を有する、請求項１〜１３のいずれか１項に記載の引き綱。
【発明の詳細な説明】
【技術分野】
【０００１】
本発明は、動物用製品の技術分野に適用され、その目的は、長さの調節可能なケーブルを備えた犬およびその他のペット用伸長性引き綱を提供することである。
【背景技術】
【０００２】
既知なように、今日市販されているいわゆる伸長性引き綱はケーブルを備え、該ケーブルは、一方の端部が連結装置、通常はスナップフックを介して動物の首輪に連結され、他方の端部が特定のケーブル巻取りロール上のボディフレームまたはシェル内に巻き戻される。
【０００３】
上記引き綱には、動物に連結されるケーブルを解放し徐々に巻き戻して、飼い主による漸進的かつ自発的な解放を可能にする機構がさらに設けられ、動物は広い自由度を有するため、型番により調節可能なケーブル最大長まで飼い主から離れて自由に歩くことができる。
【０００４】
通常、解放および巻き戻し機構は、所望長の場所にケーブルの遮断装置が設けられる。
一般的に、上記の引き綱は、ケーブル巻取り用の平坦な渦巻ばねを備えたケーブル巻取りロール、およびコード巻取りロールの係止／非係止装置の両方を収容するシェルと、ロールの制御機構の１つまたは２つの遮断ボタンを配したハンドルとを特徴とする。
【０００５】
ケーブルは、渦巻ばねの作用によりロールの外径に巻き付けられ、ケーブル巻取りロールの内径側のハウジング内に配置され、時計回り方向と反時計回り方向の両方に回転可能となりケーブルを展開する、または巻き戻す、あるいはその逆を実行する。
【０００６】
回転は、動物の引張力による展開方向と、渦巻ばねによるロール上のケーブルの巻戻し方向とで制御することができ、渦巻ばねは動物の引張力によるケーブルの展開中に付勢される。
【０００７】
上記の引き綱では、巻取りロールは、手の親指のみで制御される機械的係止装置を介して、任意の回転角度で一時的または永続的に係止することができる。
【０００８】
すべての引き綱で、ケーブルが巻き戻されるロールは、ロールホルダシェルによって旋回および保護されて、ハンドルと一体的に厳重に固定される。
【０００９】
同一出願人を代表とするＷＯ２０１１０５８５８８は、ロールホルダシェルがハンドルと一体化されるが、厳重には固定されず、ハンドルがヒンジ留めされる軸を中心に自由に回転する引き綱を開示する。
【００１０】
すべての既知の伸長性引き綱は、ロールの係止素子を、親指によって制御される機械的システムとして備える特徴を有する。さらに、これらの引き綱では、渦巻ばねはケーブル巻取りロール内の適切な座部に配置される。
【００１１】
しかしながら、ケーブル巻取りロールの係止／非係止を操作するために手の親指を使用する必要性はそれ自体、たとえば、手根管症候群、リューマチ性関節炎、または四肢切断などの疾病が原因で親指を使えない飼い主による使用を制限する可能性のある要因である。
【００１２】
また、親指を使用できる人の場合でも、親指を頻繁に使用する必要性はすぐに筋肉疲労を招く結果、反射神経を低下させ筋肉痛を引き起こす。
最後に、親指の使用は、特に女性の場合には爪の長さによって制限されることがある。
【００１３】
さらに、手の親指によって操作される係止システムは、危険が生じた際の介入時間による別の欠点を呈する。実際、場合によっては長さが７メートルに達する可能性のある伸長性引き綱では、反応および係止時間が動物の走行を制限するほど短くないため、疲労とそのせいで長くなる介入時間によって遅延される反射神経が、装置の機能と安全性、ひいてはそれに伴う動物または周囲環境へのリスクに重要な役割を果たす。
【００１４】
別の限定要因は、ハンドルから引き綱の重量の重心までの距離によって表される。中型犬用の引き綱の中程度の重量が約０．５５０キロであり、犬を散歩させている間、腕が常時幾分引っ張られていると考えると、四肢の端部にかかる重量が時間の経過と共に疲労を引き起こし、この疲労はハンドルと重心間の距離と共に増大することが分かる。
【００１５】
現在市販されている伸長性引き綱の制限を考えるときに過小評価すべきでないもう１つの要素は、動物の首輪に装着されるスナップフックを末端部分に有するケーブルが高速で復帰する危険である。実際、引き綱のシェルに収容されるロールの回収動作を受けて、ケーブルが高速かつ制御不能に復帰することから生じる動的作用の結果、スナップフックが受ける衝撃で人的事故が発生することがよくある。
【００１６】
このような危険な動作は、特に巻取りロール上のケーブルの回収および巻取り中、引き綱の正しい機能が阻まれるリスクを排除しない限りほぼ回避することができない。いくつかの伸長性引き綱製造業者らはこの問題を克服しようとして、使用時に引き綱を上記の危険から守らない安全性の低い首輪を提供してきた。
【発明の概要】
【００１７】
本発明の目的は、効率と機能的快適性が向上し使用し易い伸長性引き綱を作製することで、上述の引き綱欠点と不都合を排除することである。
【００１８】
具体的な目的は、ケーブル巻取りロールの係止の制御システムを作動するのに親指を使用しなくてもよい伸長性引き綱を提供することである。
【００１９】
別の目的は、伸長性引き綱の機能の安全化、特に、フックシステムの動物の首輪への急激かつ不随意の解放によって生じるケーブルの危険な高速復帰に関する安全化を図ることである。
【００２０】
別の目的は、手の掌または指によって操作される係止システムとは関係なく、ケーブルの流れを停止することができる伸長性引き綱を提供することである。
【００２１】
別の目的は、飼い主が両手を自由にし、両手を使用せずに前腕で引き綱を保持することができる引き綱を実現することである。
【００２２】
別の目的は、引き綱を握る際の疲労を低減するように、ハンドルの重心とほぼ同じ重心を有する単純でコンパクトな形状の伸長性引き綱を提供することである。
【００２３】
上記の目的および以下より明瞭になるその他の目的は、請求項１に記載の伸長性引き綱によって達成され、該引き綱は、ハンドルを設けたシェルと、シェルに収容され、ケーブルを設けたケーブル巻取りロールであって、ケーブルが、ロールと一体化される端部とシェルの外側の自由端とを有し、動物が着用可能な首輪、ベスト、またはその他のアイテムに引っ掛けられるようにシェルまたはハンドルの開口を摺動し、シェルに螺旋状に巻き回されるばね作用の結果として回転軸を中心に回転可能であるロールと、手の掌によって操作して、ロールを自由に回転する非係止位置からロールの係止位置へ移動させるように、ハンドルに配置される第１のレバーによって操作される制御機構を備えたロールの係止／非係止手段と、を備え、第１のレバーが双安定係止装置と関連付けられ、双安定係止装置が、２つの位置で係止される第１のレバーを保持し、第１のレバーに追加の圧力を加えた後、係止位置から非係止位置へおよびその逆へ移動させるように構成される。
【００２４】
この特徴のおかげで、引き綱を使用している人は、動物によって引っ張られると、掌を閉じてレバーを操作するように引き綱を握りがちであるが、手の掌は最終的には負荷を受けない。
【００２５】
この動作は、身体のより強靭な箇所によって実行されて、レバー効果を利用する広い表面に作用するため、親指で実行される動作ほど辛くない。
【００２６】
双安定装置が存在することによって、レバーが引っ込んでケーブルが非係止となり、動物と近くの人や物の両方に危険が及ぶことが回避される。
【００２７】
別の側面によると、引き綱は、シェルまたはハンドルの開口に配置されるケーブルの仮係止装置を含む。
【００２８】
具体的には、この仮係止装置は係止素子を備えることができ、この係止素子は、ハンドルを回転させるだけで、コードが自由に摺動する第１の位置から、係止素子がケーブルを保持して摺動を阻止する第２の位置まで回転させることができる。
【００２９】
この特徴により、引き綱の機能をさらに安全にし、動物の首輪へのフックシステムの急激かつ不随意の解放によるケーブルの危険な高速復帰に関して飼い主の保護を実現することができる。実際のところ、上述の危険な状況は、レバーの釣り合い部分がケーブルのブレーキとして動作して、ロールの復帰速度、ひいてはその影響を低減するため、ハンドルのテープの口部に位置する仮係止装置によってほぼ排除される。
本発明の有効な実施形態は従属請求項により得られる。
【図面の簡単な説明】
【００３０】
本発明の別の特徴と利点は、本発明による引き綱の好適だが非排他的ないくつかの実施形態に関する詳細な説明を参照することでより明確になり、それらの実施形態を添付図面に例として示す。
【００３１】
【図１】図１は、第１の実施形態における使用状態の引き綱の斜視図である。
【図２】図２は、図１の引き綱の前面図である。
【図３】図３は、非動作状態の図１の引き綱の前面図である。
【図４】図４は、内部が見えるように部分的に開放された図１の引き綱の前面図であり、引き綱は、ケーブルが自由に動物の引っ張りによって展開する、あるいはばねによって巻き戻される状態にある。
【図５】図５は、内部が見えるように部分的に開放された図１の引き綱の前面図であり、引き綱は、コードが係止された状態にある。
【図６】図６は、図１の引き綱の展開斜視図である。
【図７】図７は、図１の引き綱の第１の細部の斜視図である。
【図８】図８は、図７の細部の展開図である。
【図９】図９は、図４の引き綱の状態に対応する図７の細部の断面図である。
【図１０】図１０は、図５の引き綱の状態に対応する図の細部の断面図である。
【図１１】図１１は、２つの異なる動作状態における引き綱の第２の細部の斜視図である。
【図１２】図１２は、２つの異なる動作状態における引き綱の第２の細部の斜視図である。
【図１３】図１３は、図１１の第２の細部の前面図である。
【図１４】図１４は、ハンドルを部分的に開放させて、ポールまたは別の固定素子の周囲への位置決めを可能にする図１の引き綱の斜視図である。
【図１５】図１５は、第２の構造の引き綱の斜視図である。
【図１６】図１６は、図１５の引き綱の展開斜視図である。
【図１７】図１７は、内部が見えるように部分的に開放され、ケーブルが係止されていない図１５の引き綱の前面図である。
【図１８】図１８は、内部が見えるように部分的に開放され、ケーブルが係止されている図１５の引き綱の前面図である。
【図１９】図１９は、図１７の状態における図１５の引き綱の第１の細部の拡大図である。
【図２０】図２０は、図１８の状態における図１５の引き綱の第１の細部の拡大図である。
【図２１】図２１は、内部が見えるように部分的に開放された第３の実施形態の引き綱の斜視図である。
【図２２】図２２は、内部が見えるように部分的に開放された第４の実施形態の引き綱の斜視図である。
【発明を実施するための形態】
【００３２】
添付図面は、犬またはその他のペット用の伸長性引き綱の好適だが非排他的ないくつかの実施形態を示す。
【００３３】
図１は、全体を１００で表す引き綱の第１の実施形態を示し、該引き綱は、シェルまたはボディフレーム１０１と、シェル１０１に回転自在に固定されるドーナツ型のハンドル１０２とを備え、シェルはハンドルの中央穴内で回転することができる。
【００３４】
このように、図３に示すように、シェル１０１は、ハンドル１０２内に完全に収容されるように、ドーナツ型ハンドルの体積よりも小さな体積を占めることができる。
【００３５】
図４から分かるように、シェル１０１はケーブル巻取りロール１０３を収容し、ロール周囲の図示されないケーブルまたはテープは、ロール１０３と一体化される端部とシェル１０１の外部の自由端とを有し、動物が着用可能な首輪、ベスト、またはその他のアイテムに引っ掛けられるように開口１０４から脱出する。
【００３６】
既知の方法で、ロール１０３は、同心となるようにケーブル巻取りロール１０３内の適切な座部に収容される渦巻ばね１０５の作用の結果、回転軸を中心に回転可能である。
【００３７】
さらに、ハンドル１０２は、手の掌を介して作動される制御機構を備えたロールの係止／非係止手段を収容し、この手段によりロールは、ロール１０３が自由に回転して、動物の引張動作や渦巻ばね１０５の回収作用の結果としてケーブルの展開および巻取りを可能にする非係止位置と、ケーブルが係止されるケーブル１０３の係止位置との間で移動する。
具体的には、図４はケーブルの非係止位置におけるレバー１０６を示し、図５は係止位置におけるレバー１０６を示す。
【００３８】
さらに、第１のレバー１０６は一般的に「プッシュプッシュ」として知られる双安定係止装置１０７と関連付けられ、この装置は、手の掌からの圧力が完了すると２つの位置のうちの一方の位置で係止して、他方の位置まで自動的に復帰するのを防止し、新たな圧力がかかると係止位置から非係止位置へおよびその逆へ通過させるのに適する。
【００３９】
双安定係止装置１０７は図７〜１０にさらに詳細に示され、図示されるように、双安定装置１０７は、ハンドル１０２に固定的に収容されたガイドシリンダ１０９内で摺動可能であり、所定の最小ストロークの結果として係合するのに適したスライダ１０８と、スライダ１０８の直線摺動運動を回転運動に変換するように構成されるカム手段を備えた停止ピン１１０とを設けたスナップ機構を備える。
図６の展開図に示されるように、停止ピンは、スライダ１０８の非係止位置への復帰を促進するため予め付勢された螺旋ばね１１１をさらに含む。
【００４０】
第１のレバー１０６は、ハンドル１０２に固定されたピン１１３に取り付けられる第１の端部１１２を有し、掌から圧力がかかると該ピンを中心に回転し、レバー機構１１４を通じて、レバー機構１１４によって回転が促進される結果としてケーブル巻取りロール１０３に係合するように構成されたフックに接続され、第１のレバー１０６の非係止位置から係止位置へ通過してケーブル巻取りロール１０３の回転を遮断する。
【００４１】
さらに、第１のレバー１０６は、双安定装置１０７と一体化される先端１１６が設けられ、スライダ１０８によって決定される位置で係止される第２の端部を有する。
【００４２】
このように、ケーブルを係止するには、レバー１０６の先端１１６がレバー１０８上で動作し平行移動するように、掌で第１のレバー１０６を押すだけで充分である。
【００４３】
しかしながら、双安定装置１０７は、ストロークが最小ストロークよりも短い第１の長さの場合、スライダ１０８が停止ピン１１０で停止せずに、フック１１５を部分的に回転させるように形成されて、フックがケーブル１１３と不安定に係合する、あるいは、第１のレバー１０６の解放の結果、フック１１５とスライダ１０８の両方が自動的に非係止位置まで復帰することができる。
【００４４】
所定の最小ストロークと少なくとも同等のストロークで平行移動する結果、スライダ１０８は突起１１７で停止ピン１１０の斜面１１８に画定されるカム手段と係合し、軸を中心に回転して係止位置まで送られる。
【００４５】
この位置は、巻取り方向にも展開方向にも回転させないように、フック１１５がケーブル巻取りロール１０３の外周歯１１９の一つと係合する最大回転に相当する。
双安定装置１０７は、手部分から圧力がかからない場合、第１のレバー１０６が非係止位置に復帰するのを防止する。
【００４６】
このためには、スライダ１０８の係止を解き、トーションばね１１１の作用下で非係止位置への復帰を促進するように、掌でレバー１０６を再び押す必要がある。
【００４７】
特定の変形によると、引き綱１００は、シェル１０１の開口１０４に配置される仮係止装置１２０を備えることができる。
【００４８】
図１１および１２により詳細に示される仮係止装置１２０は係止素子１２１を備え、係止素子は、ハンドル１０２を回転させることによって、ケーブル１２２が自由に摺動する第１の位置から、係止素子１２１がケーブル１２２を保持して摺動を阻止する第２の位置まで回転することができる。
【００４９】
具体的には、図１１および１２は、ケーブル１２２の係止段階と摺動ステップにおける装置１２０をそれぞれ示す。
【００５０】
係止素子１２１は、ケーブル１２２の出口用開口１０４に位置し、ケーブル１２２用の摺動面１２４、およびガイド本体１２３上で旋回する第２のレバー１２５を有するガイド本体１２３を備える。
【００５１】
第２のレバー１２５は中実部１２６および中空部１２７を特徴とし、ケーブル１２２が摺動し、摺動面１２４に対して上昇した第１の位置から、第２のレバー１２５が摺動面１２４でケーブル１２２を阻止する第２の位置まで支点軸を中心に自由に回転する。
【００５２】
さらに、第２のレバー１２５は、回収力を上昇した第１の位置に加えるように構成された弾性予荷重素子１２８と関連付けられる第１の端部を有する。
手首の単純な回転で生じる仮係止装置１２０の動作により、ケーブル１２２の通過を阻むことができる。
【００５３】
図１３を参照すると、動物が飼い主から離れることができるとき、伸長中のケーブル１２２の摺動の方向および進路が動物の引張力のベクトルＴによって示される。
【００５４】
上記装置では、ケーブル１２２の摺動は第２のレバー１２５の前側中実部１２６によって阻まれて、引き綱が平面αに対して角度βで回転するとき、ケーブルに沿って動物から加えられる引張力Ｔの平面αに直交する成分Ｔ１の結果としてケーブル１２２を遮断する。
【００５５】
成分Ｔ１はピン１２９を中心にしてレバー１２５を回転させる。レバー１２５の前部によって加えられる衝撃力は係止ケーブル１２２に適しており、角度βが大きくなるほど大きくなる。というのは、成分Ｔ１が大きくなるほど、支点ピン１２９とケーブル１２２用の開口との間の距離に等しい第２のレバー１２５の中空部１２７が長くなるからである。
【００５６】
平面αとケーブル１２２に沿った引張方向との間の回転角度βは、手首を回転するだけで得られる。力Ｔがかからない場合、回収ばね１２８によってレバー１２５の前部１２６が上方に回転してケーブル１２２を自由に摺動させる。
【００５７】
仮係止装置１２０は、手の指を使用する必要なく任意の力を利用するという利点を提供し、係止動作は、動物の引っ張りによって加わる力を通じて、動物の引張方向に対する引き綱の回転βを生じさせる手首の単純な回転運動の結果として実行される。
【００５８】
装置１２０の伸長性引き綱への適用とレバー１２５の力学は、必要に応じて自分の方に動物を引き寄せる飼い主による本能的な回収運動に対応し、この運動は回転を促進させる。
【００５９】
特定の変形によると、引き綱は、共通の係止／非係止手段に関連付けて、あるいは上述の第１のレバー１０６を備えずに上記の仮係止装置１２０を設けるように構成される。
【００６０】
図１４に示すように、ドーナツ型ハンドル１０２は、より詳細な説明のために引用する上述のＷＯ２０１１０５８５８８に記載されるのと同様な方法で開放することができる。しかしながら、ハンドルは開放不能にすることもできる。
【００６１】
図１５、２１、および２２は、ハンドルを画定し、ケーブル巻取りロール３を内部に有するドーナツ型シェル１を備えた３つの他の実施形態を示す。
【００６２】
図１５の構造によって示される第１の実施形態では、渦巻ばね５用の座部がケーブル巻取りロール３内に設けられる。その代わりに、図２１および２２に示す２つの他の実施形態では、渦巻ばね５の座部は適切なばねホルダロール７内に設けられる。
【００６３】
最後の２つの実施形態では、ばねホルダロール７はケーブル巻取りロール３外に位置し、好適だが非排他的な形ではめ歯歯車１３、１４によって表される機械的伝達機構によって回転させられ、はめ歯歯車１３、１４は、ケーブル巻取りロール３とばねホルダロール７にそれぞれ配置される、より厳密には、図２１の実施形態の場合はばねホルダロール７の外周とケーブル巻取りロール３の外周に、図２２の実施形態の場合はケーブル巻取りロール３の外径と接して、またはケーブル巻取りロール３の内径に接してケーブル巻取りロール３の内周にそれぞれ配置される。
【００６４】
これらの最後の２つの実施形態の場合、ばねホルダロール７の回転はケーブル巻取りロール３の回転によって生じることが分かる。このような伝達機構により、回転方向に応じてばねホルダロール７を回転させることができ、内部に収容されたばね５によって、ケーブルの伸長中は弾性エネルギーを蓄積し、あるいはケーブル６の巻取り中は弾性エネルギーを解放して運動エネルギーに変換することができる。
【００６５】
３つの実施形態は、ケーブル巻取りロール３、ばねホルダロール７、および係止／非係止手段がすべて、相互に組み立てられて外側シェル１を形成する２つの半シェル１ａ、１ｂ内に封鎖されることを特徴とする。
【００６６】
シェル１は円形断面と手の大きさに比例する径とを有する中空環状ハンドルを画定し、レバー２がハンドルに位置する。
【００６７】
３つの実施形態のそれぞれにおいて、ハンドル１は２つの半シェル１ａ、１ｂから成り、該シェルは、ケーブル巻取りロール３とばねホルダロール７を収容し、回転ピン４上で旋回するレバー２を挿入および移動させるように適切に成形されるとともに、係止／非係止ケーブル巻取りロール３用の双安定または「プッシュプッシュ」装置１１を内部に備えるように成形される。
【００６８】
レバー２は回転ピン４を中心に自由に回転するため、ユーザがハンドル１をつかむとき、掌がレバー２に置かれている間は指を円環面の内径に沿って置く。
ピン４を中心にしてハンドルの外側から内側にレバー２を回転させるように、拳を握り締めるユーザによってレバー２に圧力が加えられる。
【００６９】
このようなレバーの回転は、レバー２の先端９をケーブル巻取りロール３の両外側に配置された歯３ｃに衝突させる。この対抗の結果、ケーブル巻取りロール３は実際の位置で係止され、ケーブル６は動物の引張動作下で出現することができない。
【００７０】
レバー２内に位置する螺旋ばね１２は、予め決定された付勢で回転ピン４上に設定され、レバー２を外方に押してレバー２の歯１０をハンドル１に押し付ける動作を実行する。
【００７１】
レバー２は、掌による圧力下で、図２０に示す内側作用位置に近づけられ、ばね１２の反発にもかかわらず、レバー２と一体化される双安定または「プッシュプッシュ」装置１１のおかげで上記位置にとどまる。
【００７２】
このことから、本発明による引き綱が意図する目的を達成することは明らかである。
本発明による引き綱は、多数の変更および変形が可能であり、それらはすべて添付の請求項に記載される発明の概念に関する。
【００７３】
本発明の保護目的から逸脱することなく、すべての細部は他の技術上等価な要素と置き換えることができ、材料は要件により異なる。
【図１】
2019520087.tif 000003
【図２】
2019520087.tif 000004
【図３】
2019520087.tif 000005
【図４】
2019520087.tif 000006
【図５】
2019520087.tif 000007
【図６】
2019520087.tif 000008
【図７】
2019520087.tif 000009
【図８】
2019520087.tif 000010
2019520087.tif 000011
2019520087.tif 000012
【図１１】
2019520087.tif 000013
【図１２】
2019520087.tif 000014
【図１３】
2019520087.tif 000015
【図１４】
2019520087.tif 000016
【図１５】
2019520087.tif 000017
【図１６】
2019520087.tif 000018
【図１７】
2019520087.tif 000019
【図１８】
2019520087.tif 000020
【図１９】
2019520087.tif 000021
【図２０】
2019520087.tif 000022
【図２１】
2019520087.tif 000023
【図２２】
2019520087.tif 000024
【国際調査報告】
2019520087.tif 000025
2019520087.tif 000026